(57)【要約】  撮像信号に基づいて動画像信号と静止画像信号を生成する画像信号処理部３３と、静止画像信号に基づいてインデックス画像信号を生成するインデックス画像生成部３５と、動画像が表示される画面にインデックス画像群が重畳して表示されるように動画像信号とインデックス画像信号とを重畳する合成処理部３９と、合成処理部３９による動画像に対するインデックス画像群の重畳位置を設定する重畳位置設定部３７と、重畳位置に応じてインデックス画像の縮小率を設定するインデックス画像縮小率設定部３６と、重畳位置に応じて被写体像の画面サイズを変更する画面サイズ変更部３８と、を具備する。
2016072422.tif 000002
【特許請求の範囲】
【請求項１】
被検体を撮像して撮像信号を生成する撮像部と、
前記撮像信号に基づいて動画像信号を生成する動画像生成部と、
静止画像の記録を指示する指示信号を生成するレリーズスイッチと、
前記指示信号の入力に応じて、前記動画像信号から静止画像信号を生成する静止画像生成部と、
複数の前記静止画像信号を記録可能な記録部と、
前記記録部から前記静止画像信号を読み出し、当該読み出した前記静止画像信号に基づいて、前記静止画を縮小したインデックス画像を表すインデックス画像信号を生成するインデックス画像生成部と、
前記動画像が表示される画面に、複数の前記インデックス画像を含むインデックス画像群が重畳して表示されるように前記動画像信号と前記インデックス画像信号とを重畳する合成部と、
前記合成部による前記動画像に対する前記インデックス画像群の重畳位置を設定する重畳位置設定部と、
を具備することを特徴とする撮像システム。
【請求項２】
前記インデックス画像生成部によって前記静止画像から前記インデックス画像を生成する際の縮小率を設定する設定部と、
をさらに具備することを特徴とする請求項１に記載の撮像システム。
【請求項３】
前記設定部は、前記重畳位置設定部によって設定される前記インデックス画像群の前記動画像に対する重畳位置に応じて前記縮小率を設定する
ことを特徴とする請求項２に記載の撮像システム。
【請求項４】
前記合成部は、さらに文字情報を前記画面上の所定の位置に重畳可能であり、
前記文字情報と前記インデックス画像との表示位置が重複しているか否かを検出する検出部をさらに備え、
前記検出部の検出結果に応じて前記合成部による前記文字情報を重畳するか否かを設定可能である
ことを特徴とする請求項２に記載の撮像システム。
【発明の詳細な説明】
【技術分野】
【０００１】
本発明は、撮像システム、特に、撮像信号に所定の処理を施し撮像信号を生成して出力する撮像システムに関する。
【背景技術】
【０００２】
従来、医療用分野及び工業用分野において撮像素子を備えた内視鏡が広く用いられている。また、内視鏡に着脱自在に接続され、内視鏡に係る各種信号処理をプロセッサと称する信号処理装置により担い、内視鏡システムを構成する技術も知られるところにある。【０００３】
上述した信号処理装置を有する内視鏡システムにおいては、被検体を撮像することにより得られる撮像信号に対して所定の処理を施して撮像信号を生成し、モニタ等の表示装置に被写体像として表示するとともに、当該被写体像に係る参照画像（インデックス画像）を重畳して表示する内視鏡システムが、たとえば特開２００３−２６５４０７号公報等において知られている。【０００４】
すなわち、当該内視鏡システムに記載の技術は、被写体像に係る所定タイミングでのレリーズ画像を、インデックス画像として当該被写体像を表示するモニタ画面上に重畳して表示するようになっている。【０００５】
ところで、上記特開２００３−２６５４０７号公報に記載の如き内視鏡システムにおいては、モニタ画面に上述の如きインデックス画像を表示する際、当該内視鏡画像である被写体像またはインデックス画像の画像サイズを大きく表示してしまうと、当該インデックス画像と被写体像とが重なって表示されることとなり、観察の邪魔になる虞があった。【０００６】
また、従来、モニタ画面上において、上述の如きインデックス画像を使用者が所望する任意の位置に表示することは困難であった。これにより、使用者の立ち位置とモニタの配置位置との関係によってはインデックス画像の視認性が低下してしまい、使い勝手が悪かった。【０００７】
本発明は上述した点に鑑みてなされたもので、モニタに表示する被検体像の画面サイズに拘わらず、被写体像とインデックス画像とを的確な位置に表示することができる撮像システムを提供することを目的とする。
【発明の開示】
【課題を解決するための手段】
【０００８】
本発明の一態様の撮像システムは、被検体を撮像して撮像信号を生成する撮像部と、前記撮像信号に基づいて動画像信号を生成する動画像生成部と、静止画像の記録を指示する指示信号を生成するレリーズスイッチと、前記指示信号の入力に応じて、前記動画像信号から静止画像信号を生成する静止画像生成部と、複数の前記静止画像信号を記録可能な記録部と、前記記録部から前記静止画像信号を読み出し、当該読み出した前記静止画像信号に基づいて、前記静止画像を縮小したインデックス画像を表すインデックス画像信号を生成するインデックス画像生成部と、前記動画像が表示される画面に、複数の前記インデックス画像を含むインデックス画像群が重畳して表示されるように前記動画像信号と前記インデックス画像信号とを重畳する合成部と、前記合成部による前記動画像に対する前記インデックス画像群の重畳位置を設定する重畳位置設定部と、を具備する。
【図面の簡単な説明】
【０００９】
【図１】図１は、本発明の第１の実施形態の内視鏡システムの構成を示す外観斜視図である。
【図２】図２は、第１の実施形態の内視鏡システムの電気的な構成を示したブロック図である。
【図３】図３は、第１の実施形態の内視鏡システムにおけるモニタ表示画面の一例を示した図である。
【図４】図４は、第１の実施形態の内視鏡システムにおけるモニタ表示画面の他の例を示した図である。
【図５】図５は、本発明の第２の実施形態の内視鏡システムの電気的な構成を示したブロック図である。
【図６】図６は、第２の実施形態の内視鏡システムにおけるモニタ表示画面の一例を示した図である。
【発明を実施するための最良の形態】
【００１０】
以下、図面を参照して本発明の実施形態を説明する。【００１１】
（第１の実施形態）
図１〜図４を用いて第１の実施形態の内視鏡システムの構成について説明する。図１は、第１の実施形態の内視鏡システムの構成を示した外観斜視図であり、図２は、第１の実施形態の内視鏡システムにおける電気的な構成を示した図である。【００１２】
図１、図２に示すように本発明の第１の実施形態の内視鏡システム１は、撮像素子を有する内視鏡２と、内視鏡２が着脱自在に接続され、所定の信号処理を行うビデオプロセッサ３と、内視鏡２に対して照明光を供給する光源装置４と、ビデオプロセッサ３により生成された画像信号を内視鏡画像として表示する表示装置としてのモニタ５と、ビデオプロセッサ３に接続され所定の操作を行うキーボード８と、を主に備えて構成される。【００１３】
内視鏡２は、体腔内に挿入される細長の挿入部６と、この挿入部６の後端に設けられた操作部７と、挿入部６の先端硬性部に配設され被検体の光学像を撮像して所定の撮像信号を出力するＣＣＤイメージセンサ２１と、前記ＣＣＤイメージセンサ２１から出力される被検体像に係る撮像信号に対して所定のＡ／Ｄ変換を施してビデオプロセッサ３に対して送出するＡ／Ｄ変換２２と、を備える。【００１４】
また、前記操作部７には、静止画像の記録を指示する指示信号を生成するレリーズスイッチ９が配設されている。【００１５】
ビデオプロセッサ３は、ビデオプロセッサ３内の各種回路の制御を行う制御部３１と、ＣＣＤイメージセンサ２１から出力される撮像信号に対して公知の前処理を施す前処理部３２と、当該前処理部３２において処理された信号に対して所定の画像処理を施し内視鏡画像信号を生成し出力する画像信号処理部３３と、を備える。【００１６】
前処理部３２は、ＣＣＤイメージセンサ２１からの撮像信号を入力して所定の前信号処理を施すものであり、公知の信号増幅部、プリプロセス回路、Ａ／Ｄコンバータ、ホワイトバランス回路等により構成され、制御部３１により制御される。【００１７】
画像信号処理部３３は、制御部３１の制御下に、前処理部３２からの出力信号に対して所定の画像処理を施し、前記撮像信号に基づいて動画像信号を生成するとともに、前記レリーズスイッチ９の入力操作に応じて、前記動画像信号から静止画像信号を生成するようになっている。【００１８】
また、ビデオプロセッサ３は、制御部３１の制御下に、前記画像信号処理部３３において生成された複数の静止画像信号を記録可能な静止画像記録部３４と、前記静止画像を縮小したインデックス画像を表すインデックス画像信号を生成するインデックス画像生成部３５と、前記インデックス画像生成部３５によって前記静止画像から前記インデックス画像を生成する際の縮小率を設定するインデックス画像縮小率設定部３６と、画像信号処理部３３において生成する前記動画像に対する前記インデックス画像の重畳位置を設定する重畳位置設定部３７と、を備える。【００１９】
さらにビデオプロセッサ３は、制御部３１の制御下に、画像信号処理部３３において生成された被写体像である動画像の表示画面サイズを変更する画面サイズ変更部３８と、当該画面サイズ変更部３８の出力信号である動画像と前記インデックス画像とを重畳して合成する合成処理部３９と、被検体に係る所定の付加情報（文字情報）を生成するＯＳＤ生成部４０と、を備える。【００２０】
ここで、静止画像記録部３４は、レリーズスイッチ９の入力操作のタイミングで生成される、画像信号処理部３３において生成された静止画像信号を記録するが、ビデオプロセッサ３に接続されたキーボード８等の操作、または、内視鏡２における操作部７からの所定の操作により削除変更等がなされるようになっている。【００２１】
インデックス画像生成部３５は、制御部３１の制御下に、静止画像記録部３４から記録されている静止画像信号を読み出し、読み出した静止画像信号に基づいて、当該静止画像を縮小したインデックス画像を表すインデックス画像信号を生成するようになっている。【００２２】
また、インデックス画像生成部３５において生成されるインデックス画像については、ビデオプロセッサ３に接続されたキーボード８等の操作、または、内視鏡２における操作部７からの所定の操作により、静止画像記録部３４に記録された静止画像信号の選択が可能であり、すなわち、インデックス画像の数についても変更等の操作が可能となっている。【００２３】
インデックス画像縮小率設定部３６は、制御部３１の制御下に、インデックス画像生成部３５によって生成された前記インデックス画像を生成する際の縮小率を設定する。【００２４】
また、インデックス画像縮小率設定部３６においてこのインデックス画像の縮小率は、初期設定値が予め定められているほか、ビデオプロセッサ３に接続されたキーボード８等の操作、または、内視鏡２における操作部７からの所定の操作により、任意の値に変更することができる。【００２５】
また、本実施形態においては、前記重畳位置設定部３７によって設定される前記インデックス画像群の動画像に対する重畳位置の情報、すなわち、被写体像とインデックス画像とのレイアウト情報に応じて、自動的に前記縮小率を設定することも可能となっている。【００２６】
重畳位置設定部３７は、制御部３１の制御下に、前記合成処理部３９において処理される被写体像である前記動画像に対する前記インデックス画像の重畳位置を設定し、当該設定情報、換言すれば、レイアウト情報を合成処理部３９およびインデックス画像縮小率設定部３６等に伝達するようになっている。【００２７】
なお、本実施形態においては、制御部３１の制御下に、ビデオプロセッサ３に接続されたキーボード８等の操作により、被写体像である前記動画像と前記インデックス画像との配置関係を重畳位置設定部３７に対して指示することができるようになっている。【００２８】
そして重畳位置設定部３７は、この指示された配置関係に基づいて、同一表示画面上における前記被写体像と前記インデックス画像との最適なレイアウトを演算し、当該レイアウト情報を各部に伝達するようになっている。【００２９】
前記最適なレイアウトを演算する際において重畳位置設定部３７は、前記インデックス画像縮小率設定部３６において設定されるインデックス画像の縮小率の値、および、インデックス画像生成部３５において生成されるインデックス画像の数の情報を勘案するようになっている。【００３０】
なお、重畳位置設定部３７は、インデックス画像が複数の場合は、複数の前記インデックス画像を含むインデックス画像群と被写体像とのレイアウトを演算するようになっている。【００３１】
画面サイズ変更部３８は、制御部３１の制御下に、画像信号処理部３３において生成された被写体像である動画像の表示画面サイズを所定の大きさに変更するよう画像処理を行う。【００３２】
また、画面サイズ変更部３８において、被写体像である動画像の表示画面サイズは、初期設定値が予め定められているほか、ビデオプロセッサ３に接続されたキーボード８等の操作、または、内視鏡２における操作部７からの所定の操作により、任意の値に変更することができる。【００３３】
さらに、本実施形態においては、制御部３１の制御下に画面サイズ変更部３８において、前記重畳位置設定部３７によって設定される前記レイアウト情報に応じて動画像の表示画面サイズが自動的に変更されるようになっている。【００３４】
前記合成処理部３９は、制御部３１の制御下に、重畳位置設定部３７からのレイアウト情報を受けて、被写体像である前記動画像を表示する同一表示画面上に、前記インデックス画像または前記インデックス画像群が重畳して表示されるように被写体像信号である前記動画像信号と前記インデックス画像信号とを重畳して合成画像を生成し、モニタ５に向けて出力するようになっている。【００３５】
前記ＯＳＤ生成部４０は、制御部３１の制御下に、被写体像を表示する同一画面上に被検体に係る所定の付加情報（文字情報）を、オンスクリーン・ディスプレイ（Ｏｎ−ｓｃｒｅｅｎ  ｄｉｓｐｌａｙ；ＯＳＤ）として生成するようになっている。【００３６】
＜第１の実施形態の作用＞
次に、本第１の実施形態の作用について説明する。【００３７】
ビデオプロセッサ３における制御部３１の制御下に、画像信号処理部３３は、前処理部３２からの出力信号に対して所定の画像処理を施し、前記撮像信号に基づいて動画像信号を生成する。また、画像信号処理部３３は、前記レリーズスイッチ９の入力に応じて、前記動画像信号に基づいて所定の静止画像信号を生成する。【００３８】
次に、制御部３１の制御下に、静止画像記録部３４において前記画像信号処理部３３において生成された複数の静止画像信号を記録する。【００３９】
また、インデックス画像生成部３５は、制御部３１の制御下に、静止画像記録部３４から記録されている静止画像信号を読み出し、読み出した静止画像信号に基づいて、当該静止画像を縮小したインデックス画像を表すインデックス画像信号を生成する。【００４０】
この後、インデックス画像縮小率設定部３６は、制御部３１の制御下に、インデックス画像生成部３５によって生成された前記インデックス画像を生成する際の縮小率を設定する。【００４１】
このときインデックス画像縮小率設定部３６は、まずは、予め定められている初期設定値にインデックス画像の縮小率を定め、その後、前記キーボード８等の操作、または、内視鏡２における操作部７からの所定の操作により、任意の値に変更する。【００４２】
またインデックス画像縮小率設定部３６は、重畳位置設定部３７からの前記レイアウト情報を受けた場合は、制御部３１の制御下に、当該重畳位置設定部３７が求めたレイアウトとなる最適な値に縮小率を自動的に設定する。【００４３】
そして重畳位置設定部３７は、制御部３１の制御下に、前記キーボード８等を介して受けた使用者からの前記配置関係の指示に基づいて、インデックス画像縮小率設定部３６において設定された前記縮小率またはインデックス画像の数の値を考慮して、被写体像である前記動画像に対する前記インデックス画像またはインデックス画像群の重畳位置を設定し、当該設定情報、換言すれば、被写体像とインデックス画像またはインデックス画像群とのレイアウト情報を合成処理部３９およびインデックス画像縮小率設定部３６に伝達する。【００４４】
一方、画面サイズ変更部３８は、制御部３１の制御下に、画像信号処理部３３において生成された被写体像である動画像の表示画面サイズを、予め定められている初期設定値から、前記キーボード８等の操作、または、内視鏡２における操作部７からの所定の操作により、任意の値に変更する。【００４５】
さらに画面サイズ変更部３８は、重畳位置設定部３７において設定された前記レイアウト情報に応じて、制御部３１の制御下に、当該重畳位置設定部３７が求めたレイアウトとなるよう、被写体像の大きさを最適な値に自動的に変更する。【００４６】
また、ＯＳＤ生成部４０は、制御部３１の制御下に、被写体像を表示する同一画面上に被検体に係る所定の付加情報（文字情報）を生成し、合成処理部３９に向けて伝送する。【００４７】
そして合成処理部３９は、制御部３１の制御下に、被写体像である前記動画像を表示する同一表示画面上に、重畳位置設定部３７からの前記レイアウト情報に基づいて、前記インデックス画像または前記インデックス画像群が所定の位置に表示されるように、被写体像信号である前記動画像信号と前記インデックス画像信号とを重畳し、さらにＯＳＤ生成部４０において生成された前記文字情報を重畳して合成画像を生成し、モニタ５に向けて出力する。【００４８】
図３および図４は、いずれも第１の実施形態の内視鏡システムにおけるモニタ表示画面の一例であって、被写体像である動画像５１およびインデックス画像群５２並びに文字情報５５とが重畳された合成画像の表示例を示している。【００４９】
本実施形態においては、制御部３１が、重畳位置設定部３７、画面サイズ変更部３８おおびインデックス画像縮小率設定部３６を制御し、被写体像である動画像５１とインデックス画像群５２とが、同一表示画面上において、重複して表示されることが無いように、それぞれの画像サイズおよび表示位置とが調整されて重畳合成されるようになっている。【００５０】
例えばいま、使用者から、図３に示すように被写体像である動画像５１を表示画面上の右側に、また、３つのインデックス画像を有するインデックス画像群５２を同表示画面上の左側に配置するよう指示されたとする。【００５１】
このとき、重畳位置設定部３７は、制御部３１の制御下に、これらインデックス画像群５２におけるインデックス画像のサイズおよび数、並びに動画像５１のサイズを勘案して、同一表示画面上において最適なレイアウトを演算する。【００５２】
すなわち、この場合、前記動画像５１を表示画面上の右側に大きく表示するとともに、インデックス画像群５２を当該動画像５１の左隣に縦方向に並んで表示可能となるよう、動画像５１およびインデックス画像群５２のレイアウトを求め、このレイアウト情報を合成処理部３９と共にインデックス画像縮小率設定部３６に伝達する。【００５３】
そして制御部３１の制御下に画面サイズ変更部３８は、重畳位置設定部３７からの前記レイアウト情報に基づいて動画像５１の大きさを変更するよう調整し、また、インデックス画像縮小率設定部３６は、重畳位置設定部３７からの当該レイアウト情報を受けて、インデックス画像群５２におけるインデックス画像の縮小率を調整する。【００５４】
この後、合成処理部３９は、画面サイズ変更部３８およびインデックス画像縮小率設定部３６においてそれぞれサイズが変更・設定された動画像５１とインデックス画像群５２とに係る画像信号を、重畳位置設定部３７から受けたレイアウト情報に基づいて重畳し、さらに前記文字情報５５を重畳して合成し、モニタ５に向けて出力する。【００５５】
一方、図４に示すように、使用者から被写体像である動画像５１を表示画面上の上側に、また、４つのインデックス画像を有するインデックス画像群５３を同表示画面上の下側に配置するよう指示されたとする。【００５６】
この場合重畳位置設定部３７は、制御部３１の制御下に、前記動画像５１を表示画面上の上側に大きく表示するとともに、インデックス画像群５３を当該動画像５１の下隣に横方向に並んで表示可能となるよう、動画像５１およびインデックス画像群５３のレイアウトを求め、このレイアウト情報を合成処理部３９と共にインデックス画像縮小率設定部３６に伝達する。【００５７】
これを受けて画面サイズ変更部３８およびインデックス画像縮小率設定部３６は、上記同様、動画像５１の大きさを変更するよう調整し、また、インデックス画像群５３におけるインデックス画像の縮小率を調整する。【００５８】
この後、合成処理部３９は、上記同様に、画面サイズ変更部３８およびインデックス画像縮小率設定部３６においてそれぞれサイズが変更・設定された動画像５１とインデックス画像群５３とに係る画像信号を、重畳位置設定部３７から受けたレイアウト情報に基づいて重畳し、さらに前記文字情報５５を重畳して合成し、モニタ５に向けて出力する。【００５９】
以上説明したように、本発明の第１の実施形態によると、使用者が被写体像である動画像とインデックス画像とのおおまかな配置関係の指示をするだけで、重畳位置設定部３７がそのとき設定されているインデックス画像のサイズまたは数に応じて、被写体像である動画像とインデックス画像との最適なレイアウトを演算し、さらに、この演算結果に基づいて、当該最適なレイアウトとなるよう画面サイズ変更部３８が当該動画像のサイズを変更し、また、インデックス画像縮小率設定部３６がその際のインデックス画像の縮小率を設定することで、合成処理部３９において最適な合成画像を生成することができるという効果を奏する。【００６０】
（第２の実施形態）
次に本発明の第２の実施形態について説明する。【００６１】
図５は、本発明の第２の実施形態の内視鏡システムの電気的な構成を示したブロック図であり、図６は、第２の実施形態の内視鏡システムにおけるモニタ表示画面の一例を示した図である。【００６２】
図５に示すように、本第２の実施形態の内視鏡システム１０１は、基本的な構成は第１の実施形態における撮像システム１と同様であるが、被写体像とインデックス画像とを合成して出力するビデオプロセッサ１０３が、ＯＳＤ生成部４０において生成される前記文字情報と前記インデックス画像との表示位置が重複しているか否かを検出する検出部３１ａをさらに備え、また、重畳位置設定部３７等のおけるレイアウト演算の規定について第１の実施形態と異なる点を特徴とする。【００６３】
その他の構成作用については第１の実施形態と同様であるので、したがって、ここでは第１の実施形態との差異のみに言及し、第１の実施形態と同様な構成、作用についての詳しい説明は省略する。【００６４】
本第２の実施形態において前記ＯＳＤ生成部４０は、上述したように、制御部３１の制御下に、被写体像を表示する同一画面上に被検体に係る所定の付加情報（文字情報）を、オンスクリーン・ディスプレイ（Ｏｎ−ｓｃｒｅｅｎ  ｄｉｓｐｌａｙ；ＯＳＤ）として生成するようになっている。【００６５】
そして、合成処理部３９は、制御部３１の制御下に、前記被写体像を表示する同一画面上に前記インデックス画像を重畳するとともに、同画面上の所定の位置に前記文字情報を重畳可能となっている。【００６６】
さらに制御部３１は、前記文字情報と前記インデックス画像との表示位置が重複しているか否かを検出する検出部３１ａをさらに備え、当該検出部３１ａの検出結果に応じて前記合成処理部３９による前記文字情報を重畳するか否かを設定可能となっている。【００６７】
＜第２の実施形態の作用＞
次に、本第２の実施形態の作用について説明する。【００６８】
本第２の実施形態においても、被写体像である動画像と前記インデックス画像とを最適なレイアウトの下、最適な画面サイズにて重畳合成し、モニタ５に向けて出力することについては第１の実施形態と同様な作用をなす。【００６９】
図５に示すように、本第２の実施形態においては、制御部３１における検出部３１ａにおいて、ＯＳＤ生成部４０において生成される前記文字情報と前記インデックス画像との表示位置が重複しているか否かを検出する。【００７０】
ここで、使用者の操作により、被写体像である動画像の大きさを通常より大きく表示する、またはインデックス画像の大きさをより大きく表示する等の指示操作がなされたうえで、重畳位置設定部３７が被写体像である動画像とインデックス画像とのレイアウトを演算するとする。【００７１】
そして、当該重畳位置設定部３７において最適なレイアウトを求める演算を行った結果、動画像とインデックス画像との配置関係およびサイズに鑑みて、合成処理部３９においてこれら画像を重畳した際、インデックス画像の表示位置が前記文字情報の表示位置と重複した状態とならざるを得なくなったとする。【００７２】
本第２の実施形態においては、この状態を制御部３１における検出部３１ａにおいて検知すると、制御部３１はＯＳＤ生成部４０を制御して、図６に示すように、文字情報を一時的に消去して、動画像５１およびインデックス画像５４のみを表示する。【００７３】
以上説明したように、本発明の第２の実施形態によると、第１の実施形態と同様の効果を奏するとともに、被写体像またはインデックス画像の大きさを変更する等により、インデックス画像の表示位置が文字情報と重複してしまう場合は、当該文字情報の表示を一時的に消去することで、より見やすい合成画像を生成して表示することができる。【００７４】
さらに、上述した実施形態においては、被写体像とインデックス画像とを合成する装置として内視鏡システムにおけるビデオプロセッサを例に挙げたが、これに限ること無く、本発明は、たとえば内視鏡画像ではない画像を処理するビデオカメラ等の映像処理装置に対しても適用できる。【００７５】
また、本発明は、上述した実施形態に限定されるものではなく、本発明の要旨を変えない範囲において、種々の変更、改変等が可能であり、上述した実施形態等を部分的に組み合わせる等して構成される実施形態も本発明に属する。【００７６】
本発明によれば、モニタに表示する被検体像の画面サイズに拘わらず、被写体像とインデックス画像とを的確な位置に表示することができる撮像システムを提供することができる。【００７７】
本出願は、２０１４年１１月６日に日本国に出願された特願２０１４−２２６２０７号を優先権主張の基礎として出願するものであり、上記の開示内容は、本願明細書、請求の範囲に引用されるものとする。
【図１】
2016072422.tif 000003
【図２】
2016072422.tif 000004
【図３】
2016072422.tif 000005
【図４】
2016072422.tif 000006
【図５】
2016072422.tif 000007
【図６】
2016072422.tif 000008
【手続補正書】
【提出日】平成28年3月23日(2016.3.23)
【手続補正１】
【補正対象書類名】明細書
【補正対象項目名】０００８
【補正方法】変更
【補正の内容】
【０００８】
本発明の一態様の撮像システムは、被検体を撮像して撮像信号を生成する撮像部と、前記撮像信号に基づいて動画像信号を生成する動画像生成部と、静止画像の記録を指示する指示信号を生成するレリーズスイッチと、前記指示信号の入力に応じて、前記動画像信号から静止画像信号を生成する静止画像生成部と、複数の前記静止画像信号を記録可能な記録部と、前記記録部から前記静止画像信号を読み出し、当該読み出した前記静止画像信号に基づいて、前記静止画を縮小したインデックス画像を表すインデックス画像信号を生成するインデックス画像生成部と、前記動画像が表示される画面に、複数の前記インデックス画像を含むインデックス画像群が重畳して表示されるように前記動画像信号と前記インデックス画像信号とを重畳する合成部と、前記合成部による前記動画像に対する前記インデックス画像群の重畳位置を設定する重畳位置設定部と、前記重畳位置の設定結果に基づいて、重複して表示されることが無いように前記動画像のサイズおよび複数の前記インデックス画像群の縮小率を設定する、サイズ設定部と、を具備する。
【手続補正２】
【補正対象書類名】特許請求の範囲
【補正対象項目名】全文
【補正方法】変更
【補正の内容】
【特許請求の範囲】
【請求項１】
被検体を撮像して撮像信号を生成する撮像部と、
前記撮像信号に基づいて動画像信号を生成する動画像生成部と、
静止画像の記録を指示する指示信号を生成するレリーズスイッチと、
前記指示信号の入力に応じて、前記動画像信号から静止画像信号を生成する静止画像生成部と、
複数の前記静止画像信号を記録可能な記録部と、
前記記録部から前記静止画像信号を読み出し、当該読み出した前記静止画像信号に基づいて、前記静止画を縮小したインデックス画像を表すインデックス画像信号を生成するインデックス画像生成部と、
前記動画像が表示される画面に、複数の前記インデックス画像を含むインデックス画像群が重畳して表示されるように前記動画像信号と前記インデックス画像信号とを重畳する合成部と、
前記合成部による前記動画像に対する前記インデックス画像群の重畳位置を設定する重畳位置設定部と、
前記重畳位置の設定結果に基づいて、重複して表示されることが無いように前記動画像のサイズおよび複数の前記インデックス画像群の縮小率を設定する、サイズ設定部と、
を具備することを特徴とする撮像システム。
【請求項２】
前記設定部は、前記重畳位置設定部によって設定される前記インデックス画像群の前記動画像に対する重畳位置に応じて前記縮小率を設定することを特徴とする請求項１に記載の撮像システム。
【請求項３】
前記合成部は、さらに文字情報を前記画面上の所定の位置に重畳可能であり、
前記文字情報と前記インデックス画像との表示位置が重複しているか否かを検出する検出部をさらに備え、
前記検出部の検出結果に応じて前記合成部による前記文字情報を重畳するか否かを設定可能である、
ことを特徴とする請求項１に記載の撮像システム。
【請求項４】
前記動画像と前記インデックス画像群の位置関係が使用者により入力される、入力部を更に有し、
前記重畳位置設定部は、前記入力部から入力された前記位置関係に基づいて、前記重畳位置を設定する、
ことを特徴とする請求項１に記載の撮像システム。
【手続補正書】
【提出日】平成28年8月25日(2016.8.25)
【手続補正１】
【補正対象書類名】明細書
【補正対象項目名】０００８
【補正方法】変更
【補正の内容】
【０００８】
本発明の一態様の撮像システムは、被検体を撮像して撮像信号を生成する撮像部と、前記撮像信号に基づいて動画像信号を生成する動画像生成部と、静止画像の記録を指示する指示信号を生成するレリーズスイッチと、前記指示信号の入力に応じて、前記動画像信号から静止画像信号を生成する静止画像生成部と、複数の前記静止画像信号を記録可能な記録部と、前記記録部から前記静止画像信号を読み出し、当該読み出した前記静止画像信号に基づいて、前記静止画を縮小したインデックス画像を表すインデックス画像信号を生成するインデックス画像生成部と、前記動画像が表示される画面に、複数の前記インデックス画像を含むインデックス画像群が重畳して表示されるように前記動画像信号と前記インデックス画像信号とを重畳する合成部と、前記合成部による前記動画像に対する前記インデックス画像群の重畳位置を使用者からの配置関係の指示に基づいて設定する重畳位置設定部と、前記重畳位置の設定結果に基づいて、重複して表示されることが無いように前記動画像のサイズおよび複数の前記インデックス画像群の縮小率を設定する、サイズ設定部と、を具備する。
【手続補正２】
【補正対象書類名】特許請求の範囲
【補正対象項目名】全文
【補正方法】変更
【補正の内容】
【特許請求の範囲】
【請求項１】
被検体を撮像して撮像信号を生成する撮像部と、
前記撮像信号に基づいて動画像信号を生成する動画像生成部と、
静止画像の記録を指示する指示信号を生成するレリーズスイッチと、
前記指示信号の入力に応じて、前記動画像信号から静止画像信号を生成する静止画像生成部と、
複数の前記静止画像信号を記録可能な記録部と、
前記記録部から前記静止画像信号を読み出し、当該読み出した前記静止画像信号に基づいて、前記静止画を縮小したインデックス画像を表すインデックス画像信号を生成するインデックス画像生成部と、
前記動画像が表示される画面に、複数の前記インデックス画像を含むインデックス画像群が重畳して表示されるように前記動画像信号と前記インデックス画像信号とを重畳する合成部と、
前記合成部による前記動画像に対する前記インデックス画像群の重畳位置を使用者からの配置関係の指示に基づいて設定する重畳位置設定部と、
前記重畳位置の設定結果に基づいて、重複して表示されることが無いように前記動画像のサイズおよび複数の前記インデックス画像群の縮小率を設定する、サイズ設定部と、
を具備することを特徴とする撮像システム。
【請求項２】
前記サイズ設定部は、前記重畳位置設定部によって設定される前記インデックス画像群の前記動画像に対する重畳位置に応じて前記縮小率を設定することを特徴とする請求項１に記載の撮像システム。
【請求項３】
前記合成部は、さらに文字情報を前記画面上の所定の位置に重畳可能であり、
前記文字情報と前記インデックス画像との表示位置が重複しているか否かを検出する検出部をさらに備え、
前記検出部の検出結果に応じて前記合成部による前記文字情報を重畳するか否かを設定可能である、
ことを特徴とする請求項１に記載の撮像システム。
【請求項４】
前記動画像と前記インデックス画像群の位置関係が使用者により入力される、入力部を更に有し、
前記重畳位置設定部は、前記入力部から入力された前記位置関係に基づいて、前記重畳位置を設定する、
ことを特徴とする請求項１に記載の撮像システム。
【国際調査報告】
2016072422.tif 000009
2016072422.tif 000010
2016072422.tif 000011
2016072422.tif 000012